(57)【要約】      （修正有）【課題】各ヘッドにより形成される画像間に空白を設けることができる液体吐出装置を提供する。【解決手段】液体吐出装置１００は、２つのヘッド１１と、２つのヘッド１１間の位置を調整可能な調整機構５０とを備えている。調整機構５０は、２つのヘッド１１のノズル領域が前後方向に互いに離隔した位置に、２つのヘッド１１を配置可能に構成されている。【選択図】図５
0003233793.tif 000002
【実用新案登録請求の範囲】
【請求項１】
それぞれ複数のノズルが形成されたノズル面を有する、複数のヘッドと、
前記複数のヘッド間の位置を調整可能な、調整機構と、を備え、
前記複数のヘッドは、前記複数のヘッドに対して記録媒体が相対的に移動する方向に沿った第１方向に並び、
前記調整機構は、
前記複数のヘッド間の、前記ノズル面と平行でかつ前記第１方向と直交する第２方向の位置を調整可能であり、
前記複数のヘッドそれぞれの前記ノズル面における前記複数のノズルが配置されたノズル領域が前記第２方向に互いに離隔した位置に、前記複数のヘッドを配置可能に構成されていることを特徴とする、液体吐出装置。
【請求項２】
前記複数のヘッドのそれぞれが着脱可能に固定された、複数の固定部材をさらに備え、
前記調整機構は、前記複数の固定部材に設けられたことを特徴とする、請求項１に記載の液体吐出装置。
【請求項３】
前記複数の固定部材は、第１固定部材と、前記第１固定部材と前記第１方向に隣接する第２固定部材と、を含み、
前記第２固定部材は、前記調整機構により、前記第１固定部材に対して前記第２方向にスライド可能であることを特徴とする、請求項２に記載の液体吐出装置。
【請求項４】
前記調整機構は、
前記第１固定部材に設けられ、前記第２方向に延びる長穴と、
前記第２固定部材に設けられ、前記長穴に挿入された状態で前記第２方向にスライド可能な凸部と、を有することを特徴とする、請求項３に記載の液体吐出装置。
【請求項５】
前記第１固定部材に、２つの前記長穴が、前記ノズル面と直交する第３方向に互いに離隔して設けられ、
前記第２固定部材に、前記２つの長穴のそれぞれに挿入される、２つの前記凸部が設けられ、
前記２つの凸部のうち、一方の凸部は、他方の凸部よりも高さが低いことを特徴とする、請求項４に記載の液体吐出装置。
【請求項６】
前記２つの長穴のうち、前記一方の凸部が挿入された長穴に、別の前記凸部がさらに挿入されていることを特徴とする、請求項５に記載の液体吐出装置。
【請求項７】
前記調整機構は、前記複数のヘッドそれぞれの前記ノズル領域が前記第１方向に互いに部分的に重なる位置に、前記複数のヘッドを配置可能に構成されていることを特徴とする、請求項１〜６のいずれか１項に記載の液体吐出装置。
【請求項８】
前記調整機構は、前記複数のヘッドそれぞれの前記ノズル領域が前記第１方向に互いに一致する位置に、前記複数のヘッドを配置可能に構成されていることを特徴とする、請求項１〜７のいずれか１項に記載の液体吐出装置。
【考案の詳細な説明】
【技術分野】
【０００１】
本考案は、複数のヘッドを備えた液体吐出装置に関する。
【背景技術】
【０００２】
特許文献１には、複数の記録ヘッド（ヘッド）を備えたインクジェット記録装置（液体吐出装置）において、複数の記録ヘッドを、調整部によって水平方向（ヘッド搬送台の走行方向と直交する方向）に移動させ、位置調整することが示されている。
【先行技術文献】
【特許文献】
【０００３】
【特許文献１】特開平８−１９７７２１号公報
【考案の概要】
【考案が解決しようとする課題】
【０００４】
特許文献１において、複数のヘッドは、上記走行方向（複数のヘッドに対して記録媒体が相対的に移動する方向に沿った第１方向）に並び、かつ、上記走行方向に互いに重なり合う部分を有する。この場合、各ヘッドにより形成される画像間に空白を設けること（即ち、記録媒体に対し、走行方向と直交する方向（第２方向）に互いに離隔した領域に、ヘッド毎に画像を形成すること）が困難である。
【０００５】
本考案の目的は、各ヘッドにより形成される画像間に空白を設けることができる液体吐出装置を提供することにある。
【課題を解決するための手段】
【０００６】
本考案に係る液体吐出装置は、それぞれ複数のノズルが形成されたノズル面を有する、複数のヘッドと、前記複数のヘッド間の位置を調整可能な、調整機構と、を備え、前記複数のヘッドは、前記複数のヘッドに対して記録媒体が相対的に移動する方向に沿った第１方向に並び、前記調整機構は、前記複数のヘッド間の、前記ノズル面と平行でかつ前記第１方向と直交する第２方向の位置を調整可能であり、前記複数のヘッドそれぞれの前記ノズル面における前記複数のノズルが配置されたノズル領域が前記第２方向に互いに離隔した位置に、前記複数のヘッドを配置可能に構成されていることを特徴とする。
【考案の効果】
【０００７】
本考案によれば、調整機構によりヘッド間の第２方向の位置を調整することで、各ヘッドにより形成される画像間に空白を設けること（即ち、記録媒体に対し、第２方向に互いに離隔した領域に、ヘッド毎に画像を形成すること）ができる。
【図面の簡単な説明】
【０００８】
【図１】本考案の第１実施形態に係る吐出ユニット１００の斜視図である。
【図２】図１の吐出ユニット１００の下面図である。
【図３】ヘッド１１を取り外した状態における図１の吐出ユニット１００の斜視図である。
【図４】図３から固定部材１２２を前方にスライドさせた状態を示す吐出ユニット１００の斜視図である。
【図５】図４の各固定部材１２１，１２２にヘッド１１を装着した状態を示す吐出ユニット１００の斜視図である。
【図６】図５の吐出ユニット１００の下面図である。
【図７】図４の吐出ユニット１００の側面図である。
【図８】図７のＶＩＩＩ−ＶＩＩＩ線に沿った吐出ユニット１００の断面図である。
【図９】図７のＩＸ−ＩＸ線に沿った吐出ユニット１００の断面図である。
【図１０】本考案の第２実施形態に係る吐出ユニット２００の斜視図である。
【図１１】図１０の吐出ユニット２００の下面図である。
【図１２】ヘッド１１を取り外した状態における図１０の吐出ユニット２００の斜視図である。
【考案を実施するための形態】
【０００９】
＜第１実施形態＞
本考案の第１実施形態に係る吐出ユニット１００は、図１に示すように、２つのヘッド１１と、２つの固定部材１２１，１２２と、２つのヘッド１１間の位置を調整可能な調整機構５０とを備えている。
【００１０】
２つのヘッド１１は、左右方向（本考案の「第１方向Ｄ１」）に並んでいる。各ヘッド１１は、図示を省略するが、インクを貯留するタンクと、タンクからインクが供給される流路部材とを含む。流路部材には、タンクから供給されたインクが流れる流路が形成されている。各ヘッド１１は、図２に示すように、当該流路の先端である複数のノズル１１ｎが形成されたノズル面１１Ｎ（流路部材の下面）を有する。
【００１１】
左右方向は、ヘッド１１に対して記録媒体が相対的に移動する方向（搬送方向）に沿った方向である。本実施形態では、ヘッド１１は定位置に固定されており、記録媒体（例えば、食品等の包材）が、搬送機構（図示略）の駆動により、右から左に向かって（搬送方向に）搬送される。包材が２つのヘッド１１の下方を通過するときに、ドライバＩＣ（図示略）の駆動によりノズル１１ｎからインクが吐出され、包材にインクが着弾することで、包材に画像が記録される。
【００１２】
２つのヘッド１１は、前後方向（左右方向と直交する方向であり、本考案の「第２方向Ｄ２」）にずれて配置されている。前後方向及び左右方向は、共に、ノズル面１１Ｎ（図２参照）と平行であり、鉛直方向（本考案の「第３方向Ｄ３」）と直交する。
【００１３】
２つのヘッド１１は、それぞれ、カートリッジ式であり、固定部材１２１，１２２に対して前後方向に着脱可能に固定されている。各ヘッド１１のノズル面１１Ｎは、各固定部材１２１，１２２の開口１２１ｘ，１２２ｘを介して露出している（図２参照）。
【００１４】
固定部材１２１，１２２は、それぞれ、図３及び図４に示すように、ヘッド１１（図１参照）の左側面に沿う側壁１２１ｗ１，１２２ｗ２と、ヘッド１１の右側面に沿う側壁１２１ｗ２，１２２ｗ２とを有する。
【００１５】
固定部材１２１は、さらに、側壁１２１ｗ１に固定された隔壁１２１ｐを有する。図８に示すように、固定部材１２１の側壁１２１ｗ１と固定部材１２２の側壁１２２ｗ１との間に、隔壁１２１ｐが配置されている。
【００１６】
固定部材１２１は本考案の「第１固定部材」に該当し、固定部材１２２は本考案の「第２固定部材」に該当する。固定部材１２２は、固定部材１２１と左右方向に隣接し、調整機構５０により固定部材１２１に対して前後方向にスライド可能である（図３及び図４参照）。
【００１７】
調整機構５０は、２つのヘッド１１間の前後方向の位置を調整可能であり、固定部材１２１に設けられた２つの長穴５１，５２と、固定部材１２２に設けられた３つの凸部５３，５４，５５（図４、図７等参照）とを含む。
【００１８】
２つの長穴５１，５２は、固定部材１２１の隔壁１２１ｐに形成された貫通孔であって、それぞれ前後方向に延び、かつ、鉛直方向に互いに離隔している。
【００１９】
長穴５２（図９参照）は、長穴５１（図８参照）よりも前後方向に長く、第１部分５２ａと、第２部分５２ｂとを含む。第１部分５２ａは、図４及び図７に示すように、長穴５１と形状及びサイズが同じであり、長穴５１と鉛直方向に重なっている。第２部分５２ｂは、図９に示すように第１部分５２ａの後端から後方に延び、図示は省略するが鉛直方向の長さ（幅）が第１部分５２ａよりも小さい。
【００２０】
３つの凸部５３，５４，５５は、固定部材１２２の側壁１２２ｗ２に設けられている。凸部５３は、凸部５４，５５よりも上方に位置する。凸部５４，５５は、鉛直方向において互いに同じ高さにある。凸部５３は、長穴５１に挿入された状態で前後方向にスライド可能である。凸部５４，５５は、長穴５２に挿入された状態で前後方向にスライド可能である。より詳細には、凸部５４は第１部分５２ａにおいてスライド可能であり、凸部５５は第１部分５２ａの後端部と第２部分５２ｂとにおいてスライド可能である（図９参照）。
【００２１】
図８及び図９に示すように、凸部５３，５４はねじの頭部で構成され、凸部５５は位置決めピンの頭部で構成されている。凸部５３を長穴５１、凸部５４，５５を長穴５２にそれぞれ挿入した状態で、固定部材１２２を固定部材１２１に対して前後方向にスライドさせ（図３及び図４参照）、位置調整した後に、凸部５３，５４を構成するねじを締めることで、固定部材１２１，１２２が互いに固定される。
【００２２】
また、図８及び図９に示すように、凸部５４は、凸部５３よりも高さ（側壁１２２ｗ２からの突出高さ）が低い。凸部５３は、隔壁１２１ｐの厚みと側壁１２１ｗ１の厚みとの和と同程度の高さを有し、隔壁１２１ｐ及び側壁１２１ｗ１と前後方向に重なっている。一方、凸部５４は、隔壁１２１ｐの厚みと同程度の高さを有し、隔壁１２１ｐと前後方向に重なるが、側壁１２１ｗ１とは前後方向に重なっていない。
【００２３】
図９に示すように、凸部５５は、凸部５４よりも高さ（側壁１２２ｗ２からの突出高さ）が低く、隔壁１２１ｐの厚みよりも小さな高さを有する。凸部５４の先端は、隔壁１２１ｐの表面（側壁１２１ｗ１が固定された面）と同一面内にある。一方、凸部５５の先端は、隔壁１２１ｐの表面と裏面（側壁１２２ｗ２と接する面）との間に位置する。
【００２４】
固定部材１２１，１２２は、前後方向に互いにスライドすることで、図１〜図３に示す位置（２つのヘッド１１が前後方向に最も近接した位置であり、図２に示すように２つのヘッド１１それぞれのノズル領域１１Ｒ（ノズル面１１Ｎ における複数のノズル１１ｎが配置された領域）が左右方向に互いに部分的に重なる位置）と、図４〜図９に示す位置（２つのヘッド１１が前後方向に最も離隔した位置であり、図６に示すように２つのヘッド１１それぞれのノズル領域１１Ｒが前後方向に互いに離隔した位置）とを取り得る。換言すると、調整機構５０は、２つのヘッド１１それぞれのノズル領域１１Ｒが左右方向に互いに部分的に重なる位置（図２参照）と、２つのヘッド１１それぞれのノズル領域１１Ｒが前後方向に互いに離隔した位置（図６参照）とに、２つのヘッド１１を配置可能に構成されている。
【００２５】
固定部材１２１，１２２が図１〜図３に示す位置（２つのヘッド１１が前後方向に最も近接した位置）にあるとき、凸部５３は長穴５１の後端壁（図８参照）に接触し、凸部５５は長穴５２の後端壁（図９参照）に接触している。固定部材１２１，１２２が図４〜図９に示す位置（２つのヘッド１１が前後方向に最も離隔した位置）にあるとき、凸部５３は長穴５１の前端壁（図８参照）に接触し、凸部５４は長穴５２の前端壁（図９参照）に接触している。このように凸部５３，５４，５５が長穴５１，５２の前端壁又は後端壁に接触することで、固定部材１２２の固定部材１２１に対する前後方向の移動が停止される。
【００２６】
ここで、固定部材１２２が固定部材１２１に対して前後方向に移動する過程について説明する。先ず、固定部材１２１，１２２が図１〜図３に示す位置にあるとき、凸部５３が長穴５１の後端壁（図８参照）に接触しかつ凸部５５が長穴５２の後端壁（図９参照）に接触することにより、固定部材１２２の後方への移動が禁止されている。この状態から、固定部材１２２を前方に移動させると（図３参照）、凸部５３が長穴５１に挿入された状態で前方に移動し、凸部５４，５５が長穴５２に挿入された状態で前方に移動する。そして、固定部材１２１，１２２が図４〜図９に示す位置に至ったときに、凸部５３が長穴５１の前端壁（図８参照）に接触し、凸部５４が長穴５２の前端壁（図９参照）に接触することにより、固定部材１２２の前方への移動が停止される。
【００２７】
以上に述べたように、本実施形態によれば、調整機構５０は、２つのヘッド１１それぞれのノズル領域１１Ｒが前後方向に互いに離隔した位置（図６参照）に、２つのヘッド１１を配置可能に構成されている。このように調整機構５０によりヘッド１１間の前後方向の位置を調整することで、各ヘッド１１により形成される画像間に空白を設けること（即ち、記録媒体に対し、前後方向に互いに離隔した領域に、ヘッド１１毎に画像を形成すること）ができる。
【００２８】
調整機構５０は、固定部材１２１，１２２（ヘッド１１が着脱可能に固定される部材）に設けられている（図３、図４、図７等参照）。この場合、固定部材１２１，１２２に調整機構５０を設けたことで、着脱式の（交換可能な）ヘッド１１には調整機構５０を設ける必要がなく、ヘッド１１の構成の簡素化及び低コスト化を図ることができる。
【００２９】
固定部材１２２は、調整機構５０により、固定部材１２１に対して前後方向にスライド可能である（図３及び図４参照）。この場合、ヘッド１１間の前後方向の位置調整を実効的に実現できる。
【００３０】
調整機構５０は、固定部材１２１に設けられ、前後方向に延びる長穴５１と、固定部材１２２に設けられ、長穴５１，５２に挿入された状態で前後方向にスライド可能な凸部５３，５４，５５と、を有する（図３、図４、図７等参照）。この場合、ヘッド１１間の前後方向の位置調整を、比較的簡単な構成で実現できる。
【００３１】
固定部材１２１に、２つの長穴５１，５２が、鉛直方向に互いに離隔して設けられている。固定部材１２２に、２つの長穴５１，５２のそれぞれに挿入される、２つの凸部５３，５４が設けられている。２つの凸部５３，５４のうち、一方の凸部５４は、他方の凸部５３よりも高さが低い（図８及び図９参照）。この場合、鉛直方向に互いに離隔した２つの長穴５１，５２と凸部５３，５４との組み合わせにより、位置調整を適切に行うことができる。また、凸部５４が凸部５３よりも高さが低いことで、固定部材１２２が固定部材１２１に対してスライドするときに凸部５４が周辺部材と干渉することを抑制できる。
【００３２】
凸部５４が挿入された長穴５２に、別の凸部５５がさらに挿入されている（図９参照）。凸部５４は、高さが低いため、位置決め精度も低い。そこで、長穴５２に対し、凸部５４だけでなく凸部５５を設けることで、位置決め精度を補完できる。
【００３３】
調整機構５０は、２つのヘッド１１それぞれのノズル領域１１Ｒが左右方向に互いに部分的に重なる位置（図２参照）に、２つのヘッド１１を配置可能に構成されている。このように調整機構５０によりヘッド１１間の前後方向の位置を調整することで、ヘッド１１毎の画像を前後方向に連続させ、前後方向に長い画像を形成することができる。
【００３４】
＜第２実施形態＞
本考案の第２実施形態に係る吐出ユニット２００は、図１０に示すように、第１実施形態に係る吐出ユニット１００（図１参照）と略同じ構成であるが、調整機構２５０が、２つのヘッド１１それぞれのノズル領域１１Ｒが左右方向に互いに一致する位置（図１１参照）に、２つのヘッド１１を配置可能に構成されている点において、第１実施形態と異なる。
【００３５】
換言すると、２つのヘッド１１が前後方向に最も近接した位置が、第１実施形態では、２つのヘッド１１それぞれのノズル領域１１Ｒが左右方向に互いに部分的に重なる位置（図２参照）であるのに対し、第２実施形態では、２つのヘッド１１それぞれのノズル領域１１Ｒが左右方向に互いに一致する位置（図１１参照）である。
【００３６】
２つのヘッド１１が前後方向に最も離隔した位置は、第１実施形態と同様（図４〜図９参照）である。
【００３７】
調整機構２５０は、固定部材１２１に設けられた２つの長穴２５１，２５２と、固定部材１２２に設けられた３つの凸部５３，５４，５５（第１実施形態の凸部５３，５４，５５と同じ。図１０〜図１２で凸部５５は図示略）とを含む。
【００３８】
２つの長穴２５１，２５２は、固定部材１２１の隔壁１２１ｐに形成された貫通孔であって、それぞれ前後方向に延び、かつ、鉛直方向に互いに離隔している。
【００３９】
長穴２５２は、長穴２５１よりも前後方向に長く、第１部分２５２ａと、第２部分５２ｂ（図１０〜図１２では図示略。図９参照）とを含む。第１部分２５２ａは、図１２に示すように、長穴２５１と形状及びサイズが同じであり、長穴２５１と鉛直方向に重なっている。第２部分５２ｂは、図１０〜図１２では図示を省略するが、第１部分２５２ａの後端から後方に延び、鉛直方向の長さ（幅）が第１部分２５２ａよりも小さい。
【００４０】
長穴２５１（図１２参照）は、第１実施形態の長穴５１（図３参照）よりも前後方向に長い。長穴２５２の第１部分２５２ａ（図１２参照）は、第１実施形態の長穴５２の第１部分５２ａ（図３参照）よりも前後方向に長い。図１２に示すように、固定部材１２１の側壁１２１ｗ１において、長穴２５１のうち長穴５１よりも長い部分及び長穴２５２の第１部分２５２ａのうち長穴５２の第１部分５２ａよりも長い部分と左右方向に重なる位置に、切欠き２５３，３５４が形成されている。
【００４１】
凸部５３は、長穴２５１に挿入された状態で前後方向にスライド可能である。凸部５４，５５は、長穴２５２に挿入された状態で前後方向にスライド可能である。より詳細には、凸部５４は第１部分２５２ａにおいてスライド可能であり、凸部５５は第１部分２５２ａの後端部と第２部分５２ｂとにおいてスライド可能である（図９参照）。
【００４２】
固定部材１２１，１２２は、前後方向に互いにスライドすることで、図１０〜図１２に示す位置（２つのヘッド１１が前後方向に最も近接した位置であり、図２に示すように２つのヘッド１１それぞれのノズル領域１１Ｒが左右方向に互いに一致する位置）と、図４〜図９に示す位置（２つのヘッド１１が前後方向に最も離隔した位置であり、図６に示すように２つのヘッド１１それぞれのノズル領域１１Ｒが前後方向に互いに離隔した位置）とを取り得る。換言すると、調整機構２５０は、２つのヘッド１１それぞれのノズル領域１１Ｒが左右方向に互いに一致する位置（図１１参照）と、２つのヘッド１１それぞれのノズル領域１１Ｒが前後方向に互いに離隔した位置（図６参照）とに、２つのヘッド１１を配置可能に構成されている。
【００４３】
固定部材１２１，１２２が図１０〜図１２に示す位置（２つのヘッド１１が前後方向に最も近接した位置）にあるとき、凸部５３は長穴２５１の後端壁に接触し、凸部５５は長穴２５２の後端壁（図示略）に接触している。また、このとき凸部５３は切欠き２５３に収容されている（図１２参照）。固定部材１２１，１２２が図４〜図９に示す位置（２つのヘッド１１が前後方向に最も離隔した位置）にあるとき、凸部５３は長穴２５１の前端壁に接触し、凸部５４は長穴２５２の前端壁に接触している。このように凸部５３，５４，５５が長穴２５１，２５２の前端壁又は後端壁に接触することで、固定部材１２２の固定部材１２１に対する前後方向の移動が停止される。
【００４４】
ここで、固定部材１２２が固定部材１２１に対して前後方向に移動する過程について説明する。先ず、固定部材１２１，１２２が図１０〜図１２に示す位置にあるとき、凸部５３が長穴２５１の後端壁に接触しかつ凸部５５が長穴２５２の後端壁（図示略）に接触することにより、固定部材１２２の後方への移動が禁止されている。この状態から、固定部材１２２を前方に移動させると、凸部５３が長穴２５１に挿入された状態で前方に移動し、凸部５４，５５が長穴２５２に挿入された状態で前方に移動する。そして、固定部材１２１，１２２が図４〜図９に示す位置に至ったときに、凸部５３が長穴２５１の前端壁に接触し、凸部５４が長穴２５２の前端壁に接触することにより、固定部材１２２の前方への移動が停止される。
【００４５】
以上に述べたように、本実施形態によれば、調整機構５０は、２つのヘッド１１それぞれのノズル領域１１Ｒが左右方向に互いに一致する位置（図１１参照）に、２つのヘッド１１を配置可能に構成されている。このように調整機構５０によりヘッド１１間の前後方向の位置を調整することで、２つのヘッド１１のいずれかに吐出不良が生じた場合でも、残りのヘッド１１により吐出を行わせることで、記録動作を停止させず、続行することができる。
【００４６】
＜変形例＞
以上、本考案の好適な実施形態について説明したが、本考案は上述の実施形態に限られるものではなく、実用新案登録請求の範囲に記載した限りにおいて様々な設計変更が可能なものである。
【００４７】
長穴及び凸部の数は、任意に変更可能であり、例えば長穴を３つ以上設けてもよい。また、１つの長穴に対して設けられる凸部の数は、１以上の任意の数であってよい。
【００４８】
調整機構は、固定部材（ヘッドが着脱可能に固定される部材）ではなく、ヘッド自体に設けられてもよい。
【００４９】
液体吐出装置に含まれるヘッドの数は、上述の実施形態では２つであるが、３つ以上であってもよい。固定部材の数も、同様に、上述の実施形態では２つであるが、３つ以上であってもよい。
【００５０】
ヘッドは、シリアル式及びライン式のいずれであってもよい。
【００５１】
ノズルから吐出される液体は、インクに限定されず、インク以外の液体（例えば、インク中の成分を凝集又は析出させる処理液等）であってもよい。
【００５２】
記録媒体は、包材に限定されない。また、記録媒体を構成する材料は、任意の材料（プラスティック、紙、布等）であってよい。
【００５３】
本考案は、プリンタ、ファクシミリ、コピー機、複合機等に適用可能である。また、本考案は、画像の記録以外の用途で使用される液体吐出装置（例えば、基板に導電性の液体を吐出して導電パターンを形成する液体吐出装置）にも適用可能である。
【符号の説明】
【００５４】
１１  ヘッド
１１ｎ  ノズル
１１Ｎ  ノズル面
１１Ｒ  ノズル領域
１２１  固定部材（第１固定部材）
１２２  固定部材（第２固定部材）
５０；２５０  調整機構
５１，５２；２５１，２５２  長穴
５３，５４，５５  凸部
１００；２００  吐出ユニット（液体吐出装置）
Ｄ１  第１方向
Ｄ２  第２方向
Ｄ３  第３方向
【図１】
0003233793.tif 000003
【図２】
0003233793.tif 000004
【図３】
0003233793.tif 000005
【図４】
0003233793.tif 000006
【図５】
0003233793.tif 000007
【図６】
0003233793.tif 000008
【図７】
0003233793.tif 000009
【図８】
0003233793.tif 000010
【図９】
0003233793.tif 000011
【図１０】
0003233793.tif 000012
【図１１】
0003233793.tif 000013
【図１２】
0003233793.tif 000014